(57)【要約】【課題】例えばハイブリッド型の情報記録媒体に対して、より効率的に記録情報の記録又は再生等を行うことを可能ならしめる。【解決手段】情報記録媒体（１００）は、記録情報のうち再生専用の部分が予め記録された再生専用エリア（１０３等）と、記録情報のうち書き換え可能な部分の記録のために、クロック情報（ウォブル）及びアドレス情報（LPP）がプリフォーマットされたデータエリア（１０２等）とを備え、（ｉ）再生専用エリアの一部である、制御情報のうち再生専用の部分が予め記録される第１領域（ＡＤＡ）は、緩衝用エリア（１０４等）に隣接し、（ｉｉ）データエリアの一部である、制御情報のうち書き換え可能な部分が記録される第２領域（ＡＵＡ）は、（ｉｉ−１）第１領域に対して、緩衝用エリアとは反対側で隣接する位置に設けられる、又は、（ｉｉ−２ａ）第１領域を有する一の記録層とは異なる他の記録層に設けられると共に、（ｉｉ−２ｂ）第１領域と対向する位置に設けられる。【選択図】図３
2007115339.tif 000002
【特許請求の範囲】
【請求項１】
記録情報のうち再生専用の部分が予め記録された再生専用エリアと、
前記記録情報のうち書き換え可能な部分の記録のために、クロック情報及びアドレス情報のうち少なくとも一方がプリフォーマットされたデータエリアと
を有する記録層を少なくとも一つ備える情報記録媒体であって、
前記再生専用エリアの一部である、前記記録情報の記録又は再生を制御する制御情報のうち再生専用の部分が予め記録される第１領域は、緩衝用データを記録するための緩衝用エリアに隣接し、
前記データエリアの一部である、前記制御情報のうち書き換え可能な部分が記録される第２領域は、（ｉ）前記第１領域に対して、前記緩衝用エリアとは反対側で隣接する位置に設けられる、又は、（ｉｉ−１）前記第１領域を有する一の記録層とは異なる他の記録層に設けられると共に、（ｉｉ−２）前記第１領域と対向する位置に設けられることを特徴とする情報記録媒体。
【請求項２】
前記緩衝用エリアにおいては、前記記録情報に含まれる、前記緩衝用データが、記録される、又は、予め配置されることを特徴とする請求項１に記載の情報記録媒体。
【請求項３】
前記情報記録媒体は、少なくとも二つの記録層を備え、
（ｉ）前記緩衝用エリアは、前記二つの記録層における、内周側、及び外周側の位置に設けられると共に、（ｉｉ）前記データエリアは、前記二つの記録層において、前記緩衝用エリアの間の位置に設けられることを特徴とする請求項１又は２に記載の情報記録媒体。
【請求項４】
前記第１領域と前記第２領域との間には、前記クロック情報及びアドレス情報が、少なくともプリフォーマットされた遷移エリアを備えることを特徴とする請求項１から３のうちいずれか一項に記載の情報記録媒体。
【請求項５】
前記再生専用エリアでは、（ｉ）エンボスピットの形成、又は（ｉｉ）レーザ光のプリ記録によって、前記再生専用の部分が予め記録されていることを特徴とする請求項１から４のうちいずれか一項に記載の情報記録媒体。
【請求項６】
前記制御情報を記録するために確保される確保領域の位置を示す位置情報が記録される管理エリアを更に備えることを特徴とする請求項１から５のうちいずれか一項に記載の情報記録媒体。
【請求項７】
（ｉ）前記制御情報の記録のために確保される確保領域の開始位置を示す開始アドレス、並びに、（ｉｉ−１）前記確保領域の終了位置を示す終了アドレス、又は（ｉｉ−２）前記確保領域の記録容量に関する情報が記録される管理エリアを更に備えることを特徴とする請求項１から６のうちいずれか一項に記載の情報記録媒体。
【請求項８】
（ｉ）前記第１領域の位置を示す第１位置情報、又は（ｉｉ）前記第２領域の位置を示す第２位置情報が記録される管理エリアを更に備えることを特徴とする請求項１から７のうちいずれか一項に記載の情報記録媒体。
【請求項９】
（ｉ）前記第１領域及び前記第２領域の開始位置を示す開始アドレスと、（ｉｉ−１）前記第１領域及び前記第２領域の終了位置を示す終了アドレス、又は（ｉｉ−２）前記第１領域及び前記第２領域の記録容量と、に関する情報が記録される管理エリアを更に備えることを特徴とする請求項１から８のうちいずれか一項に記載の情報記録媒体。
【請求項１０】
（ｉ）前記第１領域若しくは前記第２領域の開始位置を示す開始アドレスと、（ｉｉ−１）前記第１領域若しくは前記第２領域の終了位置を示す終了アドレス、又は（ｉｉ−２）前記第１領域若しくは前記第２領域の記録容量と、（ｉｉｉ）前記開始アドレス、前記終了アドレス、及び前記記録容量が、前記第１領域に対応されるのか、若しくは、前記第２領域に対応されるのかを示す識別情報と、に関する情報が記録される管理エリアを更に備えることを特徴とする請求項１から９のうちいずれか一項に記載の情報記録媒体。
【請求項１１】
前記第２領域において、前記制御情報のうち書き換え可能な部分が記録されているか否かを示す識別情報に関する情報が記録される管理エリアを更に備えることを特徴とする請求項１から１０のうちいずれか一項に記載の情報記録媒体。
【請求項１２】
前記情報記録媒体は、（ｉ）第１記録層、及び（ｉｉ）前記第１記録層を透過したレーザ光によって記録可能な第２記録層を少なくとも備え、
前記再生専用エリアは、（ｉ）前記第１記録層、及び前記第２記録層の外周側に位置すると共に、（ｉｉ）前記緩衝用データが記録された緩衝用エリアを有し、
前記第１記録層には、少なくとも前記第１領域を有することを特徴とする請求項１から１１のうちいずれか一項に記載の情報記録媒体。
【請求項１３】
前記情報記録媒体は、（ｉ）第１記録層、及び（ｉｉ）前記第１記録層を透過したレーザ光によって記録可能な第２記録層を少なくとも備え、
前記再生専用エリアは、（ｉ）前記第１記録層、及び前記第２記録層の外周側に位置すると共に、（ｉｉ）前記緩衝用データが予め記録された緩衝用エリアを有し、
前記第１記録層に有される、前記第１領域、及び前記第２領域の端部における半径位置と、前記第２記録層に有される、前記第１領域、及び前記第２領域の端部における半径位置とは夫々近づけられていることを特徴とする請求項１から１２のうちいずれか一項に記載の情報記録媒体。
【請求項１４】
前記情報記録媒体は、（ｉ）第１記録層、及び（ｉｉ）前記第１記録層を透過したレーザ光によって記録可能な第２記録層を少なくとも備え、
前記再生専用エリアは、（ｉ）前記第１記録層、及び前記第２記録層の外周側に位置すると共に、（ｉｉ）前記緩衝用データが予め記録された緩衝用エリアを有し、
前記第１記録層には、少なくとも前記第１領域を有し、
前記第１記録層には、少なくとも前記第２領域を有することを特徴とする請求項１から１３のうちいずれか一項に記載の情報記録媒体。
【請求項１５】
複数の記録情報を夫々記録するための複数の記録層を備えており、
前記複数の記録層のうち、少なくとも一の記録層は、（ｉ）前記再生専用エリア、（ｉｉ）前記データエリア、及び、（ｉｉｉ−１）前記制御情報を記録するために確保される確保領域の位置を示す位置情報、（ｉｉｉ−２）前記第１領域の位置を示す第１位置情報、及び（ｉｉｉ−３）前記第２領域の位置を示す第２位置情報のうちの少なくとも一つが記録される管理エリアのうち少なくとも一のエリアを備えることを特徴とする請求項１から１４のうちいずれか一項に記載の情報記録媒体。
【請求項１６】
請求項１に記載の情報記録媒体であって、（ｉ）前記制御情報を記録するために確保される確保領域の位置を示す位置情報、（ｉｉ）前記第１領域の位置を示す第１位置情報、又は（ｉｉｉ）前記第２領域の位置を示す第２位置情報が記録される管理エリアを更に備える情報記録媒体に前記記録情報を記録する情報記録装置であって、
前記位置情報、前記第１位置情報、又は前記第２位置情報を取得する取得手段と、
前記記録情報を記録する記録手段と、
取得された前記位置情報、前記第１位置情報、又は前記第２位置情報に基づいて、前記記録情報を記録するように、前記記録手段を制御する制御手段と
を備えることを特徴とする情報記録装置。
【請求項１７】
請求項１に記載の情報記録媒体であって、（ｉ）前記制御情報を記録するために確保される確保領域の位置を示す位置情報、（ｉｉ）前記第１領域の位置を示す第１位置情報、又は（ｉｉｉ）前記第２領域の位置を示す第２位置情報が記録される管理エリアを更に備える情報記録媒体から前記記録情報を再生する情報再生装置であって、
前記位置情報、前記第１位置情報、又は前記第２位置情報を取得する取得手段と、
前記記録情報を再生する再生手段と、
取得された前記位置情報、前記第１位置情報、又は前記第２位置情報に基づいて、前記記録情報を再生するように、前記再生手段を制御する制御手段と
を備えることを特徴とする情報再生装置。
【請求項１８】
請求項１に記載の情報記録媒体であって、（ｉ）前記制御情報を記録するために確保される確保領域の位置を示す位置情報、（ｉｉ）前記第１領域の位置を示す第１位置情報、又は（ｉｉｉ）前記第２領域の位置を示す第２位置情報が記録される管理エリアを更に備える情報記録媒体に前記記録情報を記録する記録手段を備える情報記録装置における情報記録方法であって、
前記位置情報、前記第１位置情報、又は前記第２位置情報を取得する取得工程と、
取得された前記位置情報、前記第１位置情報、又は前記第２位置情報に基づいて、前記記録情報を記録するように、前記記録手段を制御する制御工程と
を備えることを特徴とする情報記録方法。
【請求項１９】
請求項１に記載の情報記録媒体であって、（ｉ）前記制御情報を記録するために確保される確保領域の位置を示す位置情報、（ｉｉ）前記第１領域の位置を示す第１位置情報、又は（ｉｉｉ）前記第２領域の位置を示す第２位置情報が記録される管理エリアを更に備える情報記録媒体から前記記録情報を再生する再生手段を備える情報再生装置における情報再生方法であって、
前記位置情報、前記第１位置情報、又は前記第２位置情報を取得する取得工程と、
取得された前記位置情報、前記第１位置情報、又は前記第２位置情報に基づいて、前記記録情報を再生するように、前記再生手段を制御する制御工程と
を備えることを特徴とする情報再生方法。
【請求項２０】
請求項１６に記載の情報記録装置に備えられたコンピュータを制御する記録制御用のコンピュータプログラムであって、該コンピュータを、前記取得手段、前記記録手段、及び、前記制御手段のうち少なくとも一部として機能させることを特徴とするコンピュータプログラム。
【請求項２１】
請求項１７に記載の情報再生装置に備えられたコンピュータを制御する再生制御用のコンピュータプログラムであって、該コンピュータを、前記取得手段、前記再生手段、及び、前記制御手段のうち少なくとも一部として機能させることを特徴とするコンピュータプログラム。
【発明の詳細な説明】
【技術分野】
【０００１】
本発明は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体、当該情報記録媒体の記録装置及び方法、再生装置及び方法、記録再生装置及び方法、並びに、コンピュータプログラムの技術分野に属する。
【背景技術】
【０００２】
特許文献１等によって、２種類の物理的特性を併せ持つハイブリッド型の光ディスクが提案されている。このハイブリッド型の光ディスクは、（ｉ）例えばＣＤ−Ｒ、ＤＶＤ−Ｒ、又は、ＤＶＤ−ＲＷ等の記録型光ディスクと概ね同様の、記録情報の追記や書き換えを可能とする物理的特性を保持するデータエリアと、（ｉｉ）例えばＣＤ−ＲＯＭ、ＤＶＤ−ＲＯＭ等の再生専用型の光ディスクと概ね同様の物理的特性を保持する再生専用エリアとを併せ持つ。一例としては、記録層の内周側は、再生専用エリアであり、外周側は、データエリアであるハイブリッド型の光ディスクも提案されている。
【０００３】
このようなハイブリッド型の光ディスクの製造工程においては、例えばＤＶＤ−ＲＷの規格下では、再生専用エリアには、アドレス情報を保持可能なＬＰＰ（Land Pre-Pit）をプリフォーマットすることが一般的に困難である。このため、ハイブリッド型の光ディスクにおいては、エンボスピット（Emboss Pit）が予め形成された、ＬＰＰの存在しない再生専用エリアを備えている。
【０００４】
従って、例えば、情報記録再生装置によって、ＬＰＰが存在しない再生専用エリアから、ＬＰＰが存在するデータエリアへ記録又は再生位置が移動される際に、この２種類のエリアの境界においては、ＬＰＰによる位置制御を連続して適切に行うことができない。即ち、この境界の直後のデータエリアの先頭から記録情報を記録することが困難となってしまう。このため、特許文献２等によって、再生専用エリアと、データエリアとの境界において、例えばクロック情報、及びアドレス情報を少なくとも保持可能なアンリーダブルエンボスピットがプリフォーマットされているバッファーゾーン等の遷移エリアが一般的に設けられている。尚、ＬＰＰが存在するデータエリアから、ＬＰＰが存在しない再生専用エリアへ記録又は再生位置が移動される際においても、概ね同様の理由で、遷移エリアとして、バッファーゾーンが設けられている。
【０００５】
また、特許文献２等においては、再生専用エリアの位置を示すアドレス情報を、エンボスピットの形成により、当該情報記録媒体に予め記録し、再生専用エリアへの書き込みを禁止させる制御情報として用いる手法について掲載されている。
【０００６】
【特許文献１】特開平１１−７７２９号公報
【特許文献２】特開２００１−３２５７４７号公報
【発明の開示】
【発明が解決しようとする課題】
【０００７】
しかしながら、特許文献１、２等によれば、（ｉ−１）例えば各種のアプリケーションプログラム等の記録情報の再生を制御する制御情報のうち再生専用の部分が予め記録されている再生専用エリアと、（ｉ−２）制御情報のうち書き換え可能な部分が記録されるデータエリアとの位置が大きく離れてしまう可能性が生じてしまう。
【０００８】
或いは、例えば単層型の情報記録媒体において、（ｉｉ−１）エンボスピットが予め形成されている再生専用エリアと、（ｉｉ−２）ファイナライズ処理の簡略化を目的とした、エンボスピットが予め形成されているリードアウトエリア等の緩衝用エリアとの位置が大きく離れてしまう可能性が生じてしまう。
【０００９】
即ち（ｉ）再生専用エリアと、データエリアとの間、或いは（ｉｉ）再生専用エリアと、緩衝用エリアとの間において、両者が分離して存在するために別々に遷移エリアが必要となり、より多量なサイズの遷移エリアが確保されなければならない。この多量なサイズの遷移エリアのために、記録情報を記録できない無駄な記録領域が大きくなってしまい記録領域の効率的な利用を実現することが困難であるという技術的な問題点が生じてしまう。
【００１０】
加えて、再生専用エリアを、上述した特許文献１、２等のように、無制限で無秩序な位置に設けた場合、アドレス情報を有するプリフォーマットが存在することが出来ない、当該再生専用エリアによって、データエリアが分断されることになる。よって、情報記録再生装置によって、分断されたデータエリアに対して、記録情報（ユーザデータ等）を記録、又は再生したりする場合、記録又は再生制御が複雑になってしまうという技術的な問題点が更に生じてしまう。
【００１１】
一方、この再生専用エリアは、エンボスピットによってではなく、レーザ光によるプリ記録によっても形成することが可能である。この場合、上述した遷移エリアを設ける必要は殆ど又は完全にない。しかしながら、プリ記録によって形成された再生専用エリアが、エンボスピットによって形成された再生専用エリアとは異なる位置に自由に配置された場合、情報記録再生装置による記録又は再生制御を、エンボスピットによって形成された再生専用エリアと同様に扱うことが出来ないため、各種の制御処理が煩雑になってしまうという技術的な問題点も生じてしまう。
【００１２】
本発明は、上述した問題点に鑑みなされたものであり、例えばハイブリッド型の情報記録媒体や、プリ記録によって形成された再生専用エリアを有する情報記録媒体に対して、より効率的に記録情報の記録又は再生等を行うことを可能ならしめる当該情報記録媒体、情報記録装置及び方法、情報再生装置及び方法、並びに、コンピュータをこのような情報記録装置、及び情報再生装置として機能させるコンピュータプログラムを提供することを課題とする。
【課題を解決するための手段】
【００１３】
上記課題を解決するために、請求項１に記載の情報記録媒体は、記録情報のうち再生専用の部分が予め記録された再生専用エリアと、前記記録情報のうち書き換え可能な部分の記録のために、クロック情報（ウォブル）及びアドレス情報（LPP）のうち少なくとも一方がプリフォーマットされたデータエリアとを有する記録層を少なくとも一つ備える情報記録媒体であって、前記再生専用エリアの一部である、前記記録情報の記録又は再生を制御する制御情報（アプリ）のうち再生専用の部分が予め記録される第１領域は、緩衝用データを記録するための緩衝用エリアに隣接し、前記データエリアの一部である、前記制御情報（アプリ）のうち書き換え可能な部分が記録される第２領域は、（ｉ）前記第１領域に対して、前記緩衝用エリアとは反対側で隣接する位置に設けられる、又は、（ｉｉ−１）前記第１領域を有する一の記録層とは異なる他の記録層に設けられると共に、（ｉｉ−２）前記第１領域と対向する位置に設けられる。
【００１４】
上記課題を解決するために、請求項１６に記載の情報記録装置は、請求項１に記載の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える情報記録媒体に係る実施形態（但し、その各種態様を含む）に前記記録情報を記録する情報記録装置であって、前記位置情報、前記第１位置情報、又は前記第２位置情報を取得する取得手段と、前記記録情報を記録する記録手段と、取得された前記位置情報、前記第１位置情報、又は前記第２位置情報に基づいて（前記制御情報のうち書き換え可能な部分を前記第２領域にて更新しつつ）、前記記録情報を記録するように、前記記録手段を制御する制御手段とを備える。
【００１５】
上記課題を解決するために、請求項１７に記載の情報再生装置は、請求項１に記載の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える情報記録媒体から前記記録情報を再生する情報再生装置であって、前記位置情報、前記第１位置情報、又は前記第２位置情報を取得する取得手段と、前記記録情報を再生する再生手段と、取得された前記位置情報、前記第１位置情報、又は前記第２位置情報に基づいて、前記記録情報を再生するように、前記再生手段を制御する制御手段とを備える。
【００１６】
上記課題を解決するために、請求項１８に記載の情報記録方法は、請求項１に記載の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える情報記録媒体に前記記録情報を記録する記録手段を備える情報記録装置における情報記録方法であって、前記位置情報、前記第１位置情報、又は前記第２位置情報を取得する取得工程と、取得された前記位置情報、前記第１位置情報、又は前記第２位置情報に基づいて（前記制御情報のうち書き換え可能な部分を前記第２領域にて更新しつつ）、前記記録情報を記録するように、前記記録手段を制御する制御工程とを備える。
【００１７】
上記課題を解決するために、請求項１９に記載の情報記録方法は、請求項１に記載の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える情報記録媒体から前記記録情報を再生する再生手段を備える情報再生装置における情報再生方法であって、前記位置情報、前記第１位置情報、又は前記第２位置情報を取得する取得工程と、取得された前記位置情報、前記第１位置情報、又は前記第２位置情報に基づいて、前記記録情報を再生するように、前記再生手段を制御する制御工程とを備える。
【００１８】
上記課題を解決するために、請求項２０に記載の記録制御用のコンピュータプログラムは、請求項１６に記載の情報記録装置に備えられたコンピュータを制御する記録制御用のコンピュータプログラムであって、該コンピュータを、前記取得手段、前記記録手段、及び、前記制御手段のうち少なくとも一部として機能させる。
【００１９】
上記課題を解決するために、請求項２１に記載の再生制御用のコンピュータプログラムは、請求項１７に記載の情報再生装置に備えられたコンピュータを制御する再生制御用のコンピュータプログラムであって、該コンピュータを、前記取得手段、前記再生手段、及び、前記制御手段のうち少なくとも一部として機能させる。
【００２０】
本発明の作用及び他の利得は次に説明する実施の形態から明らかにされよう。
【発明を実施するための最良の形態】
【００２１】
以下、発明を実施するための最良の形態としての本発明の実施形態に係る情報記録媒体、情報記録装置及び方法、並びに、コンピュータプログラムについて順に説明する。
【００２２】
（情報記録媒体に係る実施形態）
以下、本発明の実施形態に係る情報記録媒体について説明する。
【００２３】
本発明の情報記録媒体に係る実施形態は、記録情報のうち再生専用の部分が予め記録された再生専用エリアと、前記記録情報のうち書き換え可能な部分の記録のために、クロック情報（ウォブル）及びアドレス情報（LPP）のうち少なくとも一方がプリフォーマットされたデータエリアとを有する記録層を少なくとも一つ備える情報記録媒体であって、前記再生専用エリアの一部である、前記記録情報の記録又は再生を制御する制御情報（アプリ）のうち再生専用の部分が予め記録される第１領域は、緩衝用データを記録するための緩衝用エリアに隣接し、前記データエリアの一部である、前記制御情報（アプリ）のうち書き換え可能な部分が記録される第２領域は、（ｉ）前記第１領域に対して、前記緩衝用エリアとは反対側で隣接する位置に設けられる、又は、（ｉｉ−１）前記第１領域を有する一の記録層とは異なる他の記録層に設けられると共に、（ｉｉ−２）前記第１領域と対向する位置に設けられる。
【００２４】
本発明の情報記録媒体に係る実施形態によれば、例えばハイブリッド型の光ディスクの再生専用エリアにおいて、アプリケーションプログラム等の再生専用情報が、インジェクションモールド等の方法によって、エンボスピットの形成によって予め記録される。加えて、ハイブリッド型の光ディスクのデータエリアにおいて、ユーザデータ等の記録情報が、書き換え可能で記録される。
【００２５】
特に、本実施形態では、再生専用エリアの一部である第１領域は、例えばファイナライズ処理のための緩衝用データが記録又は配置される緩衝用エリア（リードアウトエリア又はミドルエリア）と隣接する。尚、この緩衝用エリアは、エンボスピットによって形成されてもよいし、或いは、レーザ光のプリ記録によって、形成されていてもよい。
【００２６】
具体的には、例えば単層型の情報記録媒体において、（ｉ）エンボスピットが予め形成されている第１領域と、（ｉｉ）ファイナライズ処理の簡略化を目的とした、エンボスピットが予め形成されているリードアウトエリア等の緩衝用エリアとは隣接している。従って、第１領域と、第２領域との間に確保すべきバッファーゾーン等の遷移エリアは殆ど又は完全に必要ない。何故ならば、第１領域と緩衝用エリアとが隣接し、第１領域における緩衝エリアが配置される側の領域において、記録情報を記録する必要が無いからである。
【００２７】
この結果、当該情報記録媒体において、記録情報を記録可能なデータエリアが最大限、確保されるので、記録領域のより効率的な利用を実現することが可能である。加えて、例えばアドレス情報を保持するＬＰＰ（Land Pre-Pit）等の存在しない再生専用エリアと、同様にＬＰＰの存在しない緩衝用エリアとを、例えば近傍に隣接させて、まとめて配置可能であるので、後述される情報記録再生装置による、記録又は再生の際の、位置制御を、簡便且つ的確にさせることが可能である。
【００２８】
加えて、特に、上述した、再生専用エリアの一部である第１領域と、データエリアの一部である第２領域とによって構成される領域を、制御情報を記録するための後述の確保領域（即ち、アプリリザーブエリア）と称してもよい。そして、この第２領域においては、例えば、第１領域に記録されたアプリケーションプログラム等の制御情報に対する、例えばバージョンアップのために必要なデータや、機能追加のために必要なデータ等が、書き換えや追記の必要性に応じて所定のタイミングで記録される。また、第１領域と、第２領域とは、２つの記録層に夫々設けられると共に、対向する位置に夫々設けられ、例えば層間ジャンプを経て連続的に記録又は再生されるようにしてもよい。また、同一の記録層に配置された、第１領域と、第２領域との間には、例えばクロック情報、及びアドレス情報を少なくとも保持可能なアンリーダブルエンボスピットがプリフォーマットされているバッファーゾーン等の遷移エリアが備えられてもよい。更にまた、制御情報が第１領域に記録された後や、制御情報が第２領域に記録された後は、当該確保領域は、一般的に、書き換えや追記が不可能なエリアとして情報記録再生装置から保護されることが可能である。
【００２９】
以上の結果、第１領域と、第２領域とは、近傍に隣接しているので、後述される情報記録再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００３０】
本発明の情報記録媒体に係る実施形態の一の態様では、前記緩衝用エリアにおいては、前記記録情報に含まれる、前記緩衝用データが、記録される、又は、予め配置される。
【００３１】
この態様によれば、例えば２層型の情報記録媒体において、（ｉ）例えばエンボスピットが予め形成されている再生専用エリアの一部である第１領域と、（ｉｉ）例えばファイナライズ処理の簡略化や層間ジャンプの際の緩衝を目的とした、エンボスピットが予め形成されているミドルエリア等の緩衝用エリアとを隣接させることが可能である。従って、第１領域と、第２領域との間に確保すべきバッファーゾーン等の遷移エリアのサイズを最小にすることが可能である。この結果、当該情報記録媒体において、記録情報を記録可能なデータエリアが最大限、確保されるので、記録領域のより効率的な利用を実現することが可能である。
【００３２】
加えて、例えばアドレス情報を保持するＬＰＰ（Land Pre-Pit）等の存在しない再生専用エリアと、同様にＬＰＰの存在しない緩衝用エリアとを、例えば近傍に隣接させて、まとめて配置可能であるので、後述される情報記録再生装置による、記録又は再生の際の、位置制御を、簡便且つ的確にさせることが可能である。
【００３３】
本発明の情報記録媒体に係る実施形態の他の態様では、前記情報記録媒体は、少なくとも二つの記録層を備え、（ｉ）前記緩衝用エリアは、前記二つの記録層における、内周側、及び外周側の位置に設けられると共に、（ｉｉ）前記データエリアは、前記二つの記録層において、前記緩衝用エリアの間の位置に設けられることを特徴とする請求項１又は２に記載の情報記録媒体。
【００３４】
この態様によれば、再生専用エリアの一部である第１領域は、例えば２層型のデータエリアの終端である内周側端部の位置に設けられると共に、例えば後述されるＬ１層のリードアウトエリア等の緩衝用エリアと隣接することが可能である。即ち、エンボスピットが予め形成されている第１領域とファイナライズ処理の簡略化を目的とした、エンボスピットが予め形成されているリードアウトエリア等の緩衝用エリアとは隣接している。従って、第１領域と、第２領域との間に確保すべきバッファーゾーン等の遷移エリアは不要となる。
【００３５】
この結果、当該情報記録媒体において、記録情報を記録可能なデータエリアが最大限、確保されるので、記録領域のより効率的な利用を実現することが可能である。加えて、例えばアドレス情報を保持するＬＰＰ（Land Pre-Pit）等の存在しない第１領域と、同様にＬＰＰの存在しない緩衝用エリアとを、例えば近傍に隣接させて、まとめて配置可能であるので、後述される情報記録再生装置による、記録又は再生の際の、位置制御等の各種の制御を、簡便且つ的確にさせることが可能である。
【００３６】
本発明の情報記録媒体に係る実施形態の他の態様では、前記第１領域と前記第２領域との間には、前記クロック情報及びアドレス情報が、少なくともプリフォーマットされた遷移エリア（バッファーゾーン）を備える。
【００３７】
この態様によれば、例えばバッファーゾーン等の遷移エリアに基づいて、例えばアドレス情報を保持するＬＰＰ（Land Pre-Pit）等の存在しない第１領域と、ＬＰＰの存在する第２領域とにおける、後述される情報記録再生装置による、記録又は再生の際の、各種の制御を、迅速且つ適切にさせることが可能である。
【００３８】
本発明の情報記録媒体に係る実施形態の他の態様では、前記再生専用エリアでは、（ｉ）エンボスピットの形成、又は（ｉｉ）レーザ光のプリ記録によって、前記再生専用の部分が予め記録されている。
【００３９】
この態様によれば、再生専用の部分の各種の属性や大きさ等に応じて、再生専用エリアの物理的な構成を変化させることが可能である。
【００４０】
本発明の情報記録媒体に係る実施形態の他の態様では、前記制御情報を記録するために確保される確保領域（アプリリザーブエリア）の位置を示す位置情報が記録される管理エリア（RMA）を更に備える。
【００４１】
この態様によれば、管理エリアから取得可能な、確保領域の位置を示す位置情報に基づいて、後述される情報記録装置によって、情報記録媒体における確保領域の位置を、より高精度に管理することが可能である。
【００４２】
本発明の情報記録媒体に係る実施形態の他の態様では、（ｉ）前記制御情報の記録のために確保される確保領域（アプリリザーブエリア）の開始位置を示す開始アドレス、並びに、（ｉｉ−１）前記確保領域の終了位置を示す終了アドレス、又は（ｉｉ−２）前記確保領域の記録容量に関する情報が記録される管理エリア（RMA）を更に備える。
【００４３】
この態様によれば、管理エリアから取得可能な、確保領域の位置を示す開始アドレス、及び終了アドレス（又は、確保領域の記録容量）に基づいて、後述される情報記録装置によって、情報記録媒体における確保領域の位置を、より高精度に管理することが可能である。
【００４４】
本発明の情報記録媒体に係る実施形態の他の態様では、（ｉ）前記第１領域の位置を示す第１位置情報、又は（ｉｉ）前記第２領域の位置を示す第２位置情報が記録される管理エリア（RMA）を更に備える。
【００４５】
この態様によれば、管理エリアから取得可能な、（ｉ）第１領域の位置を示す第１位置情報、及び（ｉｉ）第２領域の位置を示す第２位置情報に基づいて、後述される情報記録装置によって、情報記録媒体における確保領域の位置を、より高精度に管理することが可能である。
【００４６】
本発明の情報記録媒体に係る実施形態の他の態様では、（ｉ）前記第１領域及び前記第２領域の開始位置を示す開始アドレスと、（ｉｉ−１）前記第１領域及び前記第２領域の終了位置を示す終了アドレス、又は（ｉｉ−２）前記第１領域及び前記第２領域の記録容量と、に関する情報が記録される管理エリア（RMA）を更に備える。
【００４７】
この態様によれば、管理エリアから取得可能な、第１領域及び第２領域の位置を示す開始アドレス、及び終了アドレス（又は、第１領域及び第２領域の記録容量）に基づいて、後述される情報記録装置によって、情報記録媒体における第１領域及び第２領域の位置を、より高精度に管理することが可能である。
【００４８】
本発明の情報記録媒体に係る実施形態の他の態様では、（ｉ）前記第１領域若しくは前記第２領域の開始位置を示す開始アドレスと、（ｉｉ−１）前記第１領域若しくは前記第２領域の終了位置を示す終了アドレス、又は（ｉｉ−２）前記第１領域若しくは前記第２領域の記録容量と、（ｉｉｉ）前記開始アドレス、前記終了アドレス、及び前記記録容量が、前記第１領域に対応されるのか、若しくは、前記第２領域に対応されるのかを示す識別情報と、に関する情報が記録される管理エリア（RMA）を更に備える。
【００４９】
この態様によれば、開始アドレス、終了アドレス（又は記録容量）、及び、識別情報に基づいて、情報記録媒体における第１領域若しくは第２領域の位置を、情報量を節約しつつ、より高精度に管理することが可能である。
【００５０】
本発明の情報記録媒体に係る実施形態の他の態様では、前記第２領域において、前記制御情報（アプリ）のうち書き換え可能な部分が記録されているか否かを示す識別情報に関する情報が記録される管理エリア（RMA）を更に備える。
【００５１】
この態様によれば、例えば、後述される、情報再生装置によって、識別情報に基づいて、制御情報のうち、再生専用の部分に加えて、又は、代えて、書き換え可能な部分を迅速且つ的確に読み込むことが可能である。従って、例えば各種のアプリケーションプログラム等の制御情報のロード時間（読み込み時間）を、大幅に短縮させることが可能である。
【００５２】
本発明の情報記録媒体に係る実施形態の他の態様では、前記情報記録媒体は、（ｉ）第１記録層、及び（ｉｉ）前記第１記録層を透過したレーザ光によって記録可能な第２記録層を少なくとも備え、前記再生専用エリアは、（ｉ）前記第１記録層、及び前記第２記録層の外周側に位置すると共に、（ｉｉ）前記緩衝用データが記録された緩衝用エリア（ミドルエリア）を有し、前記第１記録層には、少なくとも前記第１領域を有する。
【００５３】
この態様によれば、第２記録層の第２領域において、記録情報の書き換え記録や追記録を行う場合に、例えば第１記録層の確保領域の大半を占める、エンボスピットによって形成され、光透過率が記録済み状態の記録領域に近づけられた第１領域を透過したレーザ光によって、当該第２記録層の第２領域に記録情報の記録を行うことが可能となる。従って、例えば２層型の情報記録媒体における記録要件、即ち、記録済み状態の第１記録層の記録領域を透過したレーザ光によって、第２記録層の記録領域に対して記録を行うという要件を満たす可能性を高めることが可能となる。
【００５４】
本発明の情報記録媒体に係る実施形態の他の態様では、前記情報記録媒体は、（ｉ）第１記録層、及び（ｉｉ）前記第１記録層を透過したレーザ光によって記録可能な第２記録層を少なくとも備え、前記再生専用エリアは、（ｉ）前記第１記録層、及び前記第２記録層の外周側に位置すると共に、（ｉｉ）前記緩衝用データ（ミドルエリア）を有し、前記第１記録層に有される、前記第１領域、及び前記第２領域の端部における半径位置と、前記第２記録層に有される、前記第１領域、及び前記第２領域の端部における半径位置とは夫々近づけられている。
【００５５】
この態様によれば、第１記録層と、第２記録層とにおいて、例えばＬＰＰの存在しない、第１領域、及び緩衝用エリアにおける、例えば半径位置等の物理的な構成を概ね同じにすることが可能となる。従って、第１記録層と第２記録層と同一のスタンパディスクで製造できるので、全体の製造工程を簡略化することが可能となる。加えて、例えばレイヤージャンプを伴う、記録又は再生において、半径位置の等しい第１記録層の第２領域と、第２記録層の第２領域とにおける記録又は再生をより的確且つ迅速に行うことが可能となる。
【００５６】
本発明の情報記録媒体に係る実施形態の他の態様では、前記情報記録媒体は、（ｉ）第１記録層、及び（ｉｉ）前記第１記録層を透過したレーザ光によって記録可能な第２記録層を少なくとも備え、前記再生専用エリアは、（ｉ）前記第１記録層、及び前記第２記録層の外周側に位置すると共に、（ｉｉ）前記緩衝用データ（ミドルエリア）を有し、前記第１記録層には、少なくとも前記第１領域を有し、前記第１記録層には、少なくとも前記第２領域を有する。
【００５７】
この態様によれば、第２記録層にのみ存在する第２領域において、記録情報の書き換え記録や追記録を行う場合に、例えば第１記録層の確保領域の全体を占める、エンボスピットによって形成され、光透過率が記録済み状態の記録領域に近づけられた第１領域を透過したレーザ光によって、当該第２記録層の第２領域に記録情報の記録を行うことが可能となる。従って、例えば２層型の光ディスクにおける記録要件、即ち、記録済み状態の第１記録層の記録領域を透過したレーザ光によって、第２記録層の記録領域に対して記録を行うという要件を必ず満たすことが可能となる。
【００５８】
本発明の情報記録媒体に係る実施形態の他の態様では、複数の記録情報を夫々記録するための複数の記録層を備えており、前記複数の記録層のうち、少なくとも一の記録層は、（ｉ）前記再生専用エリア、（ｉｉ）前記データエリア、及び、（ｉｉｉ−１）前記制御情報を記録するために確保される確保領域（アプリリザーブエリア）の位置を示す位置情報、（ｉｉｉ−２）前記第１領域の位置を示す第１位置情報、及び（ｉｉｉ−３）前記第２領域の位置を示す第２位置情報のうちの少なくとも一つが記録される管理エリア（RMA）のうち少なくとも一のエリアを備える。
【００５９】
この態様によれば、多層型の情報記録媒体において、後述される情報記録再生装置によって、取得された位置情報に基づいて、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００６０】
（情報記録装置の実施形態）
以下、本発明の実施形態に係る情報記録装置について説明する。
【００６１】
本発明の情報記録装置に係る実施形態は、上述した本発明の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える情報記録媒体に係る実施形態（但し、その各種態様を含む）に前記記録情報を記録する情報記録装置であって、前記位置情報、前記第１位置情報、又は前記第２位置情報を取得する取得手段と、前記記録情報を記録する記録手段と、取得された前記位置情報、前記第１位置情報、又は前記第２位置情報に基づいて（前記制御情報のうち書き換え可能な部分を前記第２領域にて更新しつつ）、前記記録情報を記録するように、前記記録手段を制御する制御手段とを備える。
【００６２】
本発明の情報記録装置に係る実施形態によれば、先ず、取得手段によって、位置情報、第１位置情報、及び第２位置情報が取得される。次に、制御手段の制御下で、記録手段によって、取得された位置情報等に基づいて、例えば制御情報のうち書き換え可能な部分を第２領域にて更新されると共に、記録情報の記録が行われる。
【００６３】
この結果、当該情報記録装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００６４】
尚、上述した本発明の情報記録媒体に係る実施形態が有する各種態様に対応して、本発明の情報記録装置に係る実施形態も各種態様を採ることが可能である。
【００６５】
（情報再生装置の実施形態）
以下、本発明の実施形態に係る情報再生装置について説明する。
【００６６】
本発明の情報再生装置に係る実施形態は、上述した本発明の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える報記録媒体から前記記録情報を再生する情報再生装置であって、前記位置情報、前記第１位置情報、又は前記第２位置情報を取得する取得手段と、前記記録情報を再生する再生手段と、取得された前記位置情報、前記第１位置情報、又は前記第２位置情報に基づいて、前記記録情報を再生するように、前記再生手段を制御する制御手段とを備える。
【００６７】
本発明の情報再生装置に係る実施形態によれば、先ず、取得手段によって、位置情報、第１位置情報、及び第２位置情報が取得される。次に、制御手段の制御下で、記録手段によって、取得された位置情報等に基づいて、記録情報の再生が行われる。
【００６８】
この結果、当該情報再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００６９】
尚、上述した本発明の情報記録媒体に係る実施形態が有する各種態様に対応して、本発明の情報再生装置に係る実施形態も各種態様を採ることが可能である。
【００７０】
（情報記録方法の実施形態）
以下、本発明の実施形態に係る情報記録方法について説明する。
【００７１】
本発明の情報記録方法に係る実施形態は、上述した本発明の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える報記録媒体に前記記録情報を記録する記録手段を備える情報記録装置における情報記録方法であって、前記位置情報、前記第１位置情報、又は前記第２位置情報を取得する取得工程と、取得された前記位置情報、前記第１位置情報、又は前記第２位置情報に基づいて（前記制御情報のうち書き換え可能な部分を前記第２領域にて更新しつつ）、前記記録情報を記録するように、前記記録手段を制御する制御工程とを備える。
【００７２】
本発明の情報記録方法に係る実施形態によれば、上述した本発明の情報記録装置に係る実施形態が有する各種利益を享受することが可能となる。
【００７３】
尚、上述した本発明の情報記録装置に係る実施形態が有する各種態様に対応して、本発明の情報記録方法に係る実施形態も各種態様を採ることが可能である。
【００７４】
（情報再生方法の実施形態）
以下、本発明の実施形態に係る情報再生方法について説明する。
【００７５】
本発明の情報再生方法に係る実施形態は、上述した本発明の情報記録媒体であって、（ｉ）前記制御情報を記録するために確保される確保領域（アプリリザーブエリア）の位置を示す位置情報、（ｉｉ）前記第１領域の位置を示す第１位置情報、又は（ｉｉｉ）前記第２領域の位置を示す第２位置情報が記録される管理エリア（RMA）を更に備える報記録媒体から前記記録情報を再生する再生手段を備える情報再生装置における情報再生方法であって、前記位置情報、前記第１位置情報、又は前記第２位置情報を取得する取得工程と、取得された前記位置情報、前記第１位置情報、又は前記第２位置情報に基づいて、前記記録情報を再生するように、前記再生手段を制御する制御工程とを備える。
【００７６】
本発明の情報再生方法に係る実施形態によれば、上述した本発明の情報再生装置に係る実施形態が有する各種利益を享受することが可能となる。
【００７７】
尚、上述した本発明の情報再生装置に係る実施形態が有する各種態様に対応して、本発明の情報再生方法に係る実施形態も各種態様を採ることが可能である。
【００７８】
（コンピュータプログラムの実施形態）
以下、本発明の実施形態に係るコンピュータプログラムについて説明する。
【００７９】
本発明の記録制御用のコンピュータプログラムは、上述した本発明の情報記録装置に係る実施形態（但し、その各種態様を含む）に備えられたコンピュータを制御する記録制御用のコンピュータプログラムであって、該コンピュータを、前記取得手段、前記記録手段、及び、前記制御手段のうち少なくとも一部として機能させる。
【００８０】
本発明の再生制御用のコンピュータプログラムは、上述した本発明の情報再生装置に係る実施形態（但し、その各種態様を含む）に備えられたコンピュータを制御する再生制御用のコンピュータプログラムであって、該コンピュータを、前記取得手段、前記再生手段、及び、前記制御手段のうち少なくとも一部として機能させる。
【００８１】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置、及び情報再生装置に係る実施形態を比較的簡単に実現できる。
【００８２】
尚、上述した本発明の情報記録装置、及び情報再生装置に係る実施形態における各種態様に対応して、本発明のコンピュータプログラムに係る各実施形態も各種態様を採ることが可能である。
【００８３】
以上説明したように、本発明の情報記録媒体に係る実施形態によれば、再生専用エリアに有されるデータエリアと隣接する第１領域と、データエリアに有される再生専用エリアと隣接する第２領域とを備える。この結果、後述される情報記録再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００８４】
また、本発明の情報記録装置及び方法に係る実施形態によれば、取得手段及び工程、記録手段及び工程、並びに、制御手段及び工程を備える。この結果、当該情報記録装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００８５】
また、本発明の情報再生装置及び方法に係る実施形態によれば、取得手段及び工程、再生手段及び工程、並びに、制御手段及び工程を備える。この結果、当該情報再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【００８６】
更に、また、本発明のコンピュータプログラムに係る実施形態によれば、コンピュータを上述した本発明の情報記録装置、及び情報再生装置に係る実施形態として機能させるので、上述した情報記録装置、及び情報再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【実施例】
【００８７】
以下、本発明の実施例を図面に基づいて説明する。
【００８８】
（１）情報記録媒体の実施例
次に、図１から図４を参照して、本発明の情報記録媒体の実施例について詳細に説明する。
【００８９】
（１−１）基本構成
先ず、図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図、及び、該概略平面図に対応付けられた、その半径方向における記録領域構造の図式的概念図である。
【００９０】
図１に示されるように、光ディスク１００は、例えば、ＤＶＤと同じく直径１２ｃｍ程度のディスク本体上の記録面に、センターホール１を中心として本実施例に係るレコーディングマネージメントエリアＲＭＡ、リードインエリア１０１、データエリア１０２、及び、リードアウトエリア１０３が設けられている。そして、光ディスク１００の、図示しない例えば透明基板に、少なくとも一つの記録層が積層されている。そして、この記録層の各記録領域には、例えば、センターホール１を中心にスパイラル状或いは同心円状に、例えば、グルーブトラック及びランドトラック等のトラック５０が交互に設けられている。また、このトラック５０上には、記録情報（データ）がＥＣＣブロック５１という単位で分割されて記録される。ＥＣＣ（Error Correction Code）ブロック５１は、記録情報のエラー訂正が可能な記録情報の管理単位である。
【００９１】
特に、本実施例に係る光ディスクは、例えばデータエリア等の各種の情報の書き換えが可能な記録領域と、例えばリードアウトエリア１０３の内周側に隣接して、エンボスピット（Emboss Pit）が予め形成された再生専用エリア（Read Only Area）ＲＯＡ等の各種の情報の書き換えが不可能な記録領域とが共存されるハイブリッド型の光ディスクである。
【００９２】
尚、本発明は、このような三つのエリアを有する光ディスクには特に限定されない。例えば、リードインエリア１０１、又はリードアウトエリア１０３が存在せずとも、以下に説明するデータ構造等の構築は可能である。また、リードインエリア１０１又はリードアウト１０３は更に細分化された構成であってもよい。
【００９３】
（１−２）詳細構成
次に、図２から図４を参照して、本発明の情報記録媒体の実施例に係る光ディスクの詳細構成について説明する。
【００９４】
（１−２−１）光ディスクの記録領域の位置を特定可能なアドレス
先ず、図２を参照して、光ディスクの記録領域と、当該記録領域の位置を特定可能なアドレスとの関係について説明する。ここに、図２は、本発明の情報記録媒体の実施例に係る光ディスクの記録領域と、当該記録領域の位置を特定可能なアドレスとの関係を示した概念的グラフである。尚、図２中の縦軸は、例えばセクタ番号やランドプリピットアドレス等のアドレスの値を示し、横軸は、光ディスクの半径方向の相対的な位置を示す。また、本願発明に係る「アドレス」の一具体例が、例えばＥＣＣブロックを構成する物理的セクタ番号（セクタ番号）やランドプリピットアドレス（Land Pre Pit Address）によって構成されている。
【００９５】
図２に示されるように、本発明の情報記録媒体の実施例に係る光ディスク１００の記録領域は、内周側から外周側にかけて、（ｉ）本発明に係る管理エリアの一具体例であるレコーディングマネージメントエリア（Recording Management Area）ＲＭＡ、（ｉｉ）本発明に係る管理エリアの他の具体例であるコントロールデータゾーン（Control Data Zone）ＣＤＺを有するリードインエリア１０１−０、（ｉｉｉ）データエリア１０２ａ、（ｉｖ）再生専用エリア（Read Only Area）ＲＯＡ、並びに、（ｖ）リードアウトエリア１０３を備えて構成されている。尚、第１領域と、第２領域との間に確保すべきバッファーゾーン等の遷移エリアは設けないようにしてもよい。何故ならば、第１領域と緩衝用エリアとが隣接しているので、第１領域における緩衝エリアが配置される側の領域において、記録情報を記録する必要が無いからである。また、管理エリアには、後述される位置情報に加えて、各種の管理情報が記録されるようにしてもよい。ここに、管理情報とは、（ｉ）例えば最適記録パワー等の記録特性に関する情報、（ｉｉ）媒体の種類を特定するための属性情報、及び（ｉｉｉ）各種の記録領域の位置を特定するための情報等の、当該情報記録媒体を管理するための各種の情報である。
【００９６】
また、図２に示されるように、上述した光ディスク１００の記録領域の位置を一義的に特定可能なアドレスが、例えばＥＣＣブロックを構成する物理的セクタ番号（セクタ番号）である場合、光ピックアップが、内周側から外周側へ移動するにつれて光ディスク１００の記録領域におけるアドレスは増加していくようにしてもよい（図２中の太実線を参照）。或いは、記録領域の位置を一義的に特定可能なアドレスが、例えば、ランドプリピットアドレス（Land Pre Pit Address）である場合、後述される情報記録再生装置の光ピックアップが、内周側から外周側へ移動するにつれて光ディスク１００の記録領域におけるアドレスは減少していくようにしてもよい（図２中の細点線を参照）。
【００９７】
（１−２−２）単層型の光ディスクの記録領域の詳細な構成
次に、図３を参照して、光ディスクの記録領域の詳細な構成について説明する。ここに、図３は、本発明の情報記録媒体の実施例に係る単層型の光ディスクの記録領域の詳細な構成を図式的に示した模式図である。
【００９８】
図３に示されるように、本実施例に係る単層型の光ディスクにおいては、通常のデータを記録再生するためのチャネルであるデータチャネルと、データを記録する際に必要なアドレス情報等を有するチャネルであるプリフォーマットチャネルとの２種類のチャネルがある。
【００９９】
この図３中のプリフォーマットチャネルに示されるように、後述されるアプリ更新エリアＡＵＡ、データエリア、リードインエリア、及びＲＭＡにおいては、例えばクロック情報を保持可能なウォブル（Ｗｏｂｂｌｅ）、及び、アドレス情報を保持可能なＬＰＰが、プリフォーマットされている。他方、例えば、エンボスピットが予め形成されたアプリデータエリアＡＤＡ及びリードアウトエリアにおいては、ウォブル、及びＬＰＰは形成されていない。詳細には、エンボスピットが保持する各種のデータにおける信号品質と、ＬＰＰが保持するアドレス情報における信号品質とを共に、適正なレベルに維持することは技術的に困難であるため、エンボスピットが予め形成されたアプリデータエリアＡＤＡ及びリードアウトエリアにおいては、ウォブル、及びＬＰＰは形成されていないことが好ましい。また、データチャネルにおいては、簡便な各種処理のため、予め、例えば「０：ゼロ」のデータによりプリフォーマットされているものとする（図３中の「Data Area」を参照）。
【０１００】
特に、本実施例に係る単層型の光ディスクにおいては、記録領域の最外周に位置する部分であるリードアウトエリアに隣接させて、本発明の確保領域の一具体例であるアプリリザーブエリアＡＲＡを備えて構成されている。尚、リードアウトエリアは、例えばファイナライズ処理の簡略化を目的として、例えばエンボスピット（Emboss Pit）が予め形成され再生専用エリアと概ね同様の物理的な特性を保持する。
【０１０１】
このアプリリザーブエリアＡＲＡは、次の２種類の記録領域によって構成されている。即ち、（ｉ）本発明の第１領域の一具体例であるアプリデータエリア（アプリオリジナルデータエリア）ＡＤＡ、及び（ｉｉ）本発明の第２領域の一具体例であるアプリ更新エリアＡＵＡの２種類である。
【０１０２】
（ｉ）アプリデータエリアＡＤＡは、（ｉ−１）アプリリザーブエリアＡＲＡのうち、リードアウトエリアの側に配置されると共に、（ｉ−２）例えばアプリケーションプログラムのうち、書き換えの行われない可能性の高いオリジナルデータを予め記録するためにエンボスピット（Emboss Pit）が予め形成され再生専用エリアと概ね同様の物理的な特性を保持する。このように、アドレス情報を保持するＬＰＰ（Land Pre-Pit）等の存在しないアプリデータエリアＡＤＡと、同様にＬＰＰの存在しないリードアウトエリア等の緩衝用エリアとを、近傍に隣接させて、まとめて配置可能であるので、後述される情報記録再生装置による、記録又は再生の際の、位置制御を、簡便且つ的確にさせることが可能である。（ｉｉ）アプリ更新エリアＡＵＡは、（ｉｉ−１）アプリリザーブエリアＡＲＡのうち、データエリアの側等の内周側に配置されると共に、（ｉ−２）データエリア等の各種の記録情報の書き換えが可能な記録領域と概ね同様の物理的な特性を保持する。
【０１０３】
より具体的には、図３に示されるように、データエリア１０２においては、ファイルシステムＦＳ、音楽用データＭＤ等の記録情報が、必要に応じて、書き換え記録、又は追記録される。
【０１０４】
これらの記録情報に対して、例えば選択、表示、再生、又は複製等のハンドリング（各種の操作）を行うためのアプリケーションプログラムのうち書き換えの行われない可能性の高いオリジナルデータがエンボスピットの形成によって、アプリリザーブエリアＡＲＡのうち、リードアウトエリアの側に配置される、前述したアプリデータエリアＡＤＡに予め記録される。
【０１０５】
他方、ハンドリング（各種の操作）を行うためのアプリケーションプログラムに新しい機能を追加するための追加的なプログラムや、アプリケーションプログラムの全体的なバージョンアップを行うためのデータは、アプリリザーブエリアＡＲＡのうち、データエリアの側等の内周側に配置される、書き換え可能な記録領域である、前述したアプリ更新エリアＡＵＡに記録される。このアプリ更新エリアＡＵＡにおけるプリフォーマットチャネルには、ウォブルとＬＰＰがプリフォーマットされており、これらに基づいて、後述される情報記録再生装置は、記録又は再生の際に、必要なクロック信号やタイミング信号を生成して、記録情報の記録又は再生が行われる。
【０１０６】
（１−２−３）管理情報
次に、図４を参照して、本発明に係る位置情報、第１位置情報、及び第２位置情報を含む管理情報の一具体例について説明する。ここに、図４は、本発明の管理情報の一具体例を示したテーブル（図４（ａ））、本発明の管理情報のデータ構造の一具体例を示したテーブル（図４（ｂ））、及び本発明の管理情報の他の具体例を示したテーブル（図４（ｃ））である。
【０１０７】
図４（ａ）に示されるように、本実施例に係る管理情報１０は、本発明の確保領域の一具体例であるアプリリザーブエリアＡＲＡ、本発明の第１領域の一具体例であるアプリデータエリアＡＤＡ、及び、本発明の第２領域の一具体例であるアプリ更新エリアＡＵＡの位置を夫々特定し管理するために、アプリリザーブエリアＡＲＡ、アプリデータエリアＡＤＡ、及び、アプリ更新エリアＡＵＡに夫々対応した位置情報を複数含むようにしてもよい。即ち、管理情報１０は、１番目に、アプリリザーブエリアＡＲＡの位置を特定し管理するための位置情報を含み、２番目に、アプリデータエリアＡＤＡの位置を特定し管理するための位置情報を含み、３番目に、アプリ更新エリアＡＵＡの位置を特定し管理するための位置情報を含むようにしてもよい。以下、同様にして、後述される他の記録層（Ｌ１層）におけるアプリリザーブエリアＡＲＡ、アプリデータエリアＡＤＡ、及び、アプリ更新エリアＡＵＡが、例えば１組になって、これら３つのエリアの位置を夫々特定し管理するための位置情報を含むようにしてもよい。尚、管理情報１０は、例えばレコーディングマネージメントエリアＲＭＡ（以下、適宜「ＲＭＡ」と称す）に直接的に記録可能であるようにしてもよい。或いは、管理情報１０は、例えばレコーディングマネージメントデータＲＭＤ（以下、適宜「ＲＭＤ」と称す）に含まれ、このＲＭＤを介して間接的に記録可能であるようにしてもよい。
【０１０８】
具体的には、図４（ｂ）に示されるように、管理情報１０は、データ位置の０から３番目に、アプリリザーブエリアＡＲＡの開始アドレスを含み、データ位置の４から７番目に、アプリリザーブエリアＡＲＡの終了アドレスを含むようにしてもよい。同様にして、データ位置の８から１１番目に、アプリデータエリアＡＤＡの開始アドレスを含み、データ位置の１２から１５番目に、アプリデータエリアＡＤＡの終了アドレスを含み、データ位置の１６から１９番目に、アプリ更新エリアＡＵＡの開始アドレスを含み、データ位置の２０から２３番目に、アプリ更新エリアＡＵＡの終了アドレスを含むようにしてもよい。以下、同様にして、後述される他の記録層（Ｌ１層）におけるアプリリザーブエリアＡＲＡ、アプリデータエリアＡＤＡ、及び、アプリ更新エリアＡＵＡが、例えば１組になって、これら３つのエリアの位置を夫々特定し管理するための位置情報を含むようにしてもよい。尚、開始アドレス、及び終了アドレスを示す情報は、例えば４バイト（Ｂｙｔｅｓ）のデータ量を夫々保持するようにしたが、他のデータ量で良いことは言うまでもない。また、データ位置もバイト単位で割り付けられた番号で指定可能であるようにしたが、他の情報量の単位に基づいて指定可能であるようにしてもよい。
【０１０９】
更に、図４（ｃ）に示されるように、本実施例に係る管理情報１０は、（ｉ）アプリデータエリアＡＤＡ、又は、アプリ更新エリアＡＵＡの開始位置を示す開始アドレスに関する情報と、（ｉｉ）アプリデータエリアＡＤＡ、又は、アプリ更新エリアＡＵＡの修了位置を示す終了アドレス、又は、記録容量に関する情報と、（ｉｉｉ）上述した（ｉ）及び（ｉｉ）の情報が、アプリデータエリアＡＤＡ、及び、アプリ更新エリアＡＵＡのうちいずれに対応されるのかを示す識別情報（フラグ）と、を含むようにしてもよい。この結果、開始アドレス、終了アドレス（又は記録容量）、及び、識別情報に基づいて、情報記録媒体におけるアプリデータエリアＡＤＡ、又は、アプリ更新エリアＡＵＡの位置を、情報量を節約しつつ、より高精度に管理することが可能である。
【０１１０】
（２）情報記録装置の実施例
次に、図５及び図６を参照して、本発明の情報記録装置の実施例の構成及び動作について詳細に説明する。特に、本実施例は、本発明に係る情報記録装置を光ディスク用の情報記録再生装置に適用した例である。
【０１１１】
（２−１）基本構成
先ず、図５を参照して、本発明の情報記録装置に係る実施例における情報記録再生装置３００及び、ホストコンピュータ４００の基本構成について説明する。ここに、図５は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。
【０１１２】
図５を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。
【０１１３】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。
【０１１４】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。
【０１１５】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。
【０１１６】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。
【０１１７】
信号記録再生手段３０２は、光ピックアップ３０１とスピンドルモータ３０６とを制御することで光ディスク１００に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」及び「再生手段」の一例を構成する。また、信号記録再生手段３０２は、（ｉ）例えばコントロールデータゾーンＣＤＺに記録された管理情報１０ａを取得可能であるようにしてもよいし、（ｉｉ）例えばレコーディングマネージメントエリアＲＭＡに記録された管理情報１０ａを取得可能であるようにしてもよい。よって、信号記録再生手段３０２は、本発明に係る「取得手段」の一例を構成するようにしてもよい。
【０１１８】
アドレス検出部３０３は、信号記録再生手段３０２によって出力される、例えばプリフォーマットアドレス信号等を含む再生信号から光ディスク１００におけるアドレス（アドレス情報）を検出する。
【０１１９】
ＣＰＵ（ドライブ制御手段）３０５は、バス３０９を介して、各種制御手段に指示を行うことで、情報記録再生装置３００全体の制御を行う。特に、ＣＰＵ３０５は、信号記録再生手段３０２によって取得された、管理情報１０ａに基づいて、制御情報のうち、前述のＡＤＡに予め記録されている再生専用の部分に加えて、前述のＡＵＡに記録されている書き換え可能な部分を迅速且つ的確に読み込むことが可能である。従って、例えば各種のアプリケーションプログラム等の制御情報のロード時間（読み込み時間）を、大幅に短縮させることが可能である。また、ＣＰＵ３０５が動作するためのソフトウェア又はファームウェアは、メモリ３０７に格納されている。特に、ＣＰＵ３０５は、本発明に係る「制御手段」の一例を構成する。
【０１２０】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。
【０１２１】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【０１２２】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。
【０１２３】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。
【０１２４】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。
【０１２５】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。
【０１２６】
（２−２）動作原理
次に、図６に加えて前述した図５を適宜参照して、本発明の情報記録装置の実施例に係る情報記録再生装置における動作原理について説明する。ここに、図６は、本発明の情報記録装置の実施例に係る情報記録再生装置による（ｉ）アプリケーションプログラムの実行処理、（ｉｉ）アプリケーションプログラムの更新処理、（ｉｉｉ）記録処理、及び（ｉｖ）再生処理を含む全体処理を示したフローチャートである。
【０１２７】
図６に示されるように、先ず、例えば、ユーザによって、光ディスクが装着される（ステップＳ１０１）。
【０１２８】
次に、ＣＰＵ（ドライブ制御手段）３０５の制御下で、光ディスクが未記録状態であるか否かが判定される（ステップＳ１０２）。ここで、光ディスクが未記録状態である場合（ステップＳ１０２：Ｙｅｓ）、ＣＰＵ３０５の制御下で、前述した管理情報を含む、例えばＲＭＤ等の各種の管理情報が初期状態にされて、ＲＭＡに記録される（ステップＳ１０３）。他方、ステップＳ１０２の判定の結果、光ディスクが未記録状態でない場合（ステップＳ１０２：Ｎｏ）、ＣＰＵ３０５の制御下で、最新のＲＭＤ等の各種の管理情報が取得される（ステップＳ１０４）。
【０１２９】
次に、ＣＰＵ３０５の制御下で、（ｉ）アプリリザーブエリアＡＲＡのうちアプリデータエリアＡＤＡから、例えばアプリケーションプログラムのうち書き換えの行われない可能性の高いオリジナルデータが取得されると共に、（ｉｉ）アプリリザーブエリアＡＲＡのうちアプリ更新エリアＡＵＡから、例えばアプリケーションプログラムに新しい機能を追加するための追加的なプログラムや、アプリケーションプログラムの全体的なバージョンアップを行うためのデータが取得される（ステップＳ１０５）。
【０１３０】
次に、ＣＰＵ３０５の制御下で、アプリケーションプログラムが実行される（ステップＳ１０６）。
【０１３１】
次に、ＣＰＵ３０５の制御下で、アプリケーションプログラムを更新するか否かが判定される（ステップＳ１０７）。ここで、アプリケーションプログラムを更新する場合（ステップＳ１０７：Ｙｅｓ）、アプリリザーブエリアＡＲＡのうちアプリ更新エリアＡＵＡにおいて、例えばアプリケーションプログラムに新しい機能を追加（更新）するための追加的（更新的）なプログラム等のデータが記録される（ステップＳ１０８）。次に、ＣＰＵ３０５の制御下で、アプリ更新エリアＡＵＡに記録されたデータに基づいて、追加的（更新的）なプログラムが実行される（ステップＳ１０９）。他方、ステップＳ１０７の判定の結果、アプリケーションプログラムを更新しない場合（ステップＳ１０７：Ｎｏ）、上述したステップＳ１０８、及びＳ１０９は省略される。
【０１３２】
次に、ＣＰＵ３０５の制御下で、例えばデータエリアにおいて、記録情報の記録を行うか否かが判定される（ステップＳ１１０）。ここで、記録情報の記録を行う場合（ステップＳ１１０：Ｙｅｓ）、ＣＰＵ３０５の制御下で、所望のトラックや記録領域において、記録情報の記録が行われる（ステップＳ１１１）。
【０１３３】
次に、ＣＰＵ３０５の制御下で、例えばデータエリアに記録された、記録情報の再生を行うか否かが判定される（ステップＳ１１２）。ここで、記録情報の再生を行う場合（ステップＳ１１２：Ｙｅｓ）、ＣＰＵ３０５の制御下で、所望のトラックや記録領域に記録されている、記録情報の再生が行われる（ステップＳ１１３）。特に、当該ステップＳ１１３における、再生処理において、ＣＰＵ３０５の制御下で、第２領域において、制御情報（アプリ）のうち書き換え可能な部分が記録されているか否かを示す識別情報に基づいて、第１領域に加えて、又は代えて、第２領域に記録されている制御情報の再生を行うようにしてもよい。この結果、例えば各種のアプリケーションプログラム等の制御情報のロード時間（読み込み時間）を、大幅に短縮させることが可能である。
【０１３４】
次に、ＣＰＵ３０５の制御下で、当該光ディスクに対してファイナライズ処理を行うか否かが判定される（ステップＳ１１４）。ここで、当該光ディスクに対してファイナライズ処理を行う場合（ステップＳ１１４：Ｙｅｓ）、ＣＰＵ３０５の制御下で、例えばデータエリアの内周部等の記録領域において、例えばファイルシステム等のファイル管理情報が記録される（ステップＳ１１５）。次に、ＣＰＵ３０５の制御下で、ＲＭＤ等の各種の管理情報が最新に更新されると共に、ＲＭＡに記録される（ステップＳ１１６）。次に、ＣＰＵ３０５の制御下で、リードインエリアが記録される（ステップＳ１１７）。他方、ステップＳ１１４の判定の結果、当該光ディスクに対してファイナライズ処理を行わない場合（ステップＳ１１４：Ｎｏ）、前述したステップＳ１１５からＳ１１７は、省略される。
【０１３５】
次に、ＣＰＵ３０５の制御下で、当該光ディスクを排出するか否かが判定される（ステップＳ１１８）。ここで、当該光ディスクを排出する場合（ステップＳ１１８：Ｙｅｓ）、ＣＰＵ３０５の制御下で、ＲＭＤ等の各種の管理情報は最新であるか否かが判定される（ステップＳ１１９）。ここで、ＲＭＤ等の各種の管理情報は最新である場合（ステップＳ１１９：Ｙｅｓ）、ＣＰＵ３０５の制御下で、当該光ディスクが排出される（ステップＳ１２０）。他方、ＲＭＤ等の各種の管理情報は最新でない場合（ステップＳ１１９：Ｎｏ）、ＣＰＵ３０５の制御下で、ＲＭＤ等の各種の管理情報が最新に更新されると共に、ＲＭＡに記録される（ステップＳ１２１）。
【０１３６】
（３）本実施例の作用効果の検討
次に、図７に加えて前述した図１から図６を適宜参照して、本実施例の作用効果について検討を加える。ここに、図７は、比較例に係る光ディスクの記録領域における、複数の再生専用エリアと、複数のデータエリアとの配置関係を図式的に示した模式図（図７（ａ）、図７（ｂ）及び図７（ｃ））である。
【０１３７】
図７（ａ）に示される再生専用エリアと、データエリアとの配置関係において、図７（ｂ）に示される、第１セッションリードアウトを、例えばバッファーゾーン等の遷移エリアとして適用した場合、図７（ｃ）に示されるような記録領域の配置となる。
【０１３８】
即ち、（ｉ−１）例えば各種のアプリケーションプログラム等の記録情報の再生を制御する制御情報のうち再生専用の部分が予め記録されている再生専用エリア（ＲＯＭデータ領域）と、（ｉ−２）制御情報のうち書き換え可能な部分が記録されるデータエリア（ＲＡＭデータ領域）との位置が大きく離れてしまう可能性が生じてしまう。或いは、単層型の情報記録媒体において、（ｉｉ−１）エンボスピットが予め形成されている再生専用エリア（ＲＯＭデータ領域）と、（ｉｉ−２）ファイナライズ処理の簡略化を目的とした、エンボスピットが予め形成されているリードアウトエリア等の緩衝用エリアとの位置が大きく離れてしまう可能性が生じてしまう。
【０１３９】
よって、（ｉ）再生専用エリア（ＲＯＭデータ領域）と、データエリア（ＲＡＭデータ領域）との間、或いは（ｉｉ）再生専用エリア（ＲＯＭデータ領域）と、緩衝用エリアとの間において、より多量な記録容量の遷移エリアが確保されなければならない。この多量な記録容量の遷移エリアのために、記録情報を記録できない無駄な記録領域が大きくなってしまい記録領域の効率的な利用を実現することが困難となってしまう。
【０１４０】
これに対して、本実施例によれば、前述した図３に示されるように、アプリリザーブエリアＡＲＡのうちアプリデータエリアＡＤＡ等の再生専用エリアでは、例えば各種のアプリケーションプログラム等の記録情報の再生を制御する制御情報のうち再生専用の部分が予め記録されている。加えて、前述したアプリリザーブエリアＡＲＡのうちアプリ更新エリアＡＵＡ等のデータエリアでは、制御情報のうち書き換え可能な部分が記録される。
【０１４１】
この結果、上述したように、再生専用エリアと、データエリアとは、アプリリザーブエリアＡＲＡ内に共に存在し、近傍に隣接しているので、後述される情報記録再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【０１４２】
加えて、本実施例では、例えば単層型の情報記録媒体において、（ｉ）エンボスピットが予め形成されている再生専用エリアと、（ｉｉ）ファイナライズ処理の簡略化を目的とした、エンボスピットが予め形成されているリードアウトエリア等の緩衝用エリアとは隣接している。従って、再生専用エリアと、緩衝用エリアとが独立して存在している場合に、再生専用エリアの外周側とデータエリアの間に確保されるべき、バッファーゾーン等の遷移エリアが殆ど又は完全に不要となる。この結果、当該情報記録媒体において、記録情報を記録可能なデータエリアが最大限、確保されるので、記録領域のより効率的な利用を実現することが可能である。
【０１４３】
加えて、例えばアドレス情報を保持するＬＰＰ（Land Pre-Pit）等の存在しない再生専用エリアと、同様にＬＰＰの存在しない緩衝用エリアとを、近傍に隣接させて、まとめて配置可能であるので、後述される情報記録再生装置による、記録又は再生の際の、位置制御を、簡便且つ的確にさせることが可能である。
【０１４４】
（４）第２実施例に係る情報記録媒体
次に、図８から図１０を参照して、本発明の情報記録媒体の第２実施例に係る２層型光ディスクの詳細構成について説明する。
【０１４５】
（４−１）基本構成
先ず、図８及び図９を参照して、２層型光ディスクのデータ構造、該光ディスクの記録領域におけるＥＣＣブロックを構成する物理的セクタ番号等のアドレス、並びに、該光ディスクのオポジット方式による記録又は再生手順について説明する。ここに、図８は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。図９は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。尚、図８及び図９中の縦軸は、例えば１６進数で表現されたセクタ番号等のアドレスを示し、横軸は、光ディスクの半径方向の相対的な位置を示す。
【０１４６】
図８に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、レコーディングマネージメントエリア（Recording Management Area）ＲＭＡ０、リードインエリア１０１−０、データエリア１０２−０、及びミドルエリア１０４−０が設けられている。
【０１４７】
ＲＭＡ０（及び、後述されるＲＭＡ１）においては、本発明に係る「管理情報」の一例を構成するＲＭＤ（Recording Management Data）が記録可能である。詳細には、ＲＭＡ０（ＲＭＡ１）においては、ＲＭＤが、約７００回程度追記することが可能である。このＲＭＡ０（ＲＭＡ１）によって、本願発明に係る「管理エリア」の一例が構成されている。
【０１４８】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばレーザ光等によってプリ記録される。データエリア１０２−０には、記録情報が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。
【０１４９】
他方、Ｌ１層には、外周側から内周側にかけて、ミドルエリア１０４−１、データエリア１０２−１、リードアウトエリア１０３−１、及び、ＲＭＡ１が設けられている。より詳細には、ＲＭＡ０（ＲＭＡ１）と、図示しないレーザ光のパワーキャリブレーションを行う較正用エリアとを合わせて「Information Area」と称しても良い。また、上述したリードインエリア１０１−０（１０１−１）、データエリア１０２−０（１０２−１）、及びミドルエリア１０４−０（１０４−１）を合わせて「R-Information Area」と称しても良い。
【０１５０】
また、本実施例に係る光ディスク１００においては、図９に示されるように、例えばインクリメンタルレコーディング（Incremental Recording）方式や、レイヤージャンプレコーディング（Layer Jump Recording）方式等において、記録情報のデータ量が光ディスクの全記録容量より比較的に少ない場合、データエリア１０２−０（１０２−１）の外周端を内周側に配置させるように構成してもよい。この場合、当該光ディスク１００においては、データエリア１０２−０（１０２−１）の外周端から内周側に位置する所定地点において、シフトミドルエリア１０４ｓ−０（１０４ｓ−１）を備えて構成してもよい。
【０１５１】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図８及び図９中の下側から上側に向けて照射され、その焦点距離等が制御されると共に、光ディスク１００の半径方向における移動距離及び方向が制御される。これにより、夫々の記録層にデータが記録され、又は、記録されたデータが再生される。
【０１５２】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図８及び図９中の矢印の右方向へ移動するのとは逆に、Ｌ１層においては、光ピックアップが外周側から内周側へ向かって、即ち、図８及び図９中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。
【０１５３】
具体的には、図８のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号等のアドレスは増加していく。より具体的には、光ピックアップが、内周端「Ａ１」点、リードインエリア１０１−０の終了位置「Ａ２」点、データエリア１０２−０の開始位置「Ｂ１」点、データエリア１０２−０の終了位置「Ｂ２」点に順次アクセスして、緩衝の役目を果たすミドルエリア１０４−０（開始位置は「Ｃ１」点であり、終了位置は「Ｃ２」点である）と移動されることによって、Ｌ０層における記録又は再生が行われる。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１（開始位置は「Ｄ１」点であり、終了位置は「Ｄ２」点である）、データエリア１０２−１の開始位置「Ｅ１」点、データエリア１０２−１の終了位置「Ｅ２」点に順次アクセスして、リードアウトエリア１０３−１（開始位置は「Ｆ１」点であり、終了位置は「Ｆ２」点である）へと移動されることによって、Ｌ１層における記録又は再生が行われる。
【０１５４】
以上説明したＬ０層とＬ１層とにおけるセクタ番号等のアドレスは全て、例えば１６進数における１５の補数の関係等の所定の相関関係にあるようにしてもよい。より具体的には、例えば、Ｌ０層における折り返し点（例えばセクタ番号「１ＡＦＦＦＦｈ」）とＬ１層における折り返し点（例えばセクタ番号「Ｅ５００００ｈ」）は１５の補数の関係にあるようにしてもよい。尚、本実施例において、「３００００ｈ」等の末尾の「ｈ」とは１６進数で表現されていることを示す。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。
【０１５５】
以上説明した物理的セクタ番号に対して、論理ブロックアドレス（ＬＢＡ：Logical Block Address）が、１対１に割り付けられているようにしてもよい。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応するようにしてもよい。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。
【０１５６】
（４−２）詳細構成
次に、図１０を参照して、本発明の情報記録媒体の第２実施例に係る２層型光ディスクのデータ構造、該光ディスクの記録領域の詳細な構成について説明する。ここに、図１０は、本発明の情報記録媒体の第２実施例に係る２層型の光ディスクの記録領域の詳細な構成を図式的に示した模式図である。
【０１５７】
図１０に示されるように、特に、第２実施例に係る２層型の光ディスクにおいては、記録領域の最外周に位置する部分であるミドルエリアに隣接させて、本発明の確保領域の一具体例であるアプリリザーブエリアＡＲＡを備えて構成されている。尚、ミドルエリアは、例えばファイナライズ処理の簡略化を目的として、例えばエンボスピット（Emboss Pit）が予め形成され再生専用エリアと概ね同様の物理的な特性を保持する。このように、例えばアドレス情報を保持するＬＰＰ（Land Pre-Pit）等の存在しないアプリデータエリアＡＤＡと、同様にＬＰＰの存在しないミドルエリア等の緩衝用エリアとを、例えば近傍に隣接させて、まとめて配置可能であるので、後述される情報記録再生装置による、記録又は再生の際の、位置制御を、簡便且つ的確にさせることが可能である。
【０１５８】
具体的には、Ｌ０層のアプリリザーブエリアＡＲＡは、第１実施例と概ね同様にして内周側から外周側に向かって、（ｉ）本発明の第１領域の一具体例であるアプリデータエリア（アプリオリジナルデータエリア）ＡＤＡを備えて構成されている。他方、Ｌ１層のアプリリザーブエリアＡＲＡは、第１実施例と概ね同様にして外周側から内周側に向かって（ｉｉ−１）アプリデータエリア（アプリオリジナルデータエリア）ＡＤＡ、（ｉｉ−２）バッファーゾーンＢＵＦ、（ｉｉ−３）アプリ更新エリアＡＵＡを備えて構成されている。
【０１５９】
より具体的には、図１０に示されるように、Ｌ０層のデータエリア１０２においては、ファイルシステムＦＳ、音楽用データＭＤ等の記録情報が、必要に応じて、書き換え記録、又は追記録される。他方、Ｌ１層のデータエリア１０２においては、音楽用データＭＤ等の記録情報が、必要に応じて、書き換え記録、又は追記録される。
【０１６０】
この結果、上述したように、再生専用エリアと、データエリアとは、層間ジャンプが行われる、Ｌ０層及びＬ１層に備えられたアプリリザーブエリアＡＲＡ内に共に存在し、近傍に隣接しているので、後述される情報記録再生装置によって、制御情報のうち、再生専用の部分に加えて、書き換え可能な部分を迅速且つ的確に読み込むことが可能である。従って、例えば各種のアプリケーションプログラム等の制御情報のロード時間（読み込み時間）を、大幅に短縮させることが可能である。
【０１６１】
（５）他の実施例に係る情報記録媒体
次に、図１１から図１３を参照して、本発明の情報記録媒体の他の実施例に係る２層型光ディスクの詳細構成について説明する。
【０１６２】
（５−１）他の実施例の構成  −  その１  −  
次に、図１１を参照して、本発明の情報記録媒体の他の実施例に係る２層型光ディスクのデータ構造、該光ディスクの記録領域の詳細な構成について説明する。ここに、図１１は、本発明の情報記録媒体の他の実施例に係る２層型の光ディスクの記録領域の詳細な構成を図式的に示した模式図である。尚、他の実施例において、前述した第２実施例と同様の構成には、同様の符号番号を付しそれらの説明は適宜、省略する。
【０１６３】
図１１に示されるように、特に、他の実施例に係る２層型の光ディスクにおいては、具体的には、Ｌ０層のアプリリザーブエリアＡＲＡは、内周側から外周側に向かって（ｉ−１）アプリ更新エリアＡＵＡ、（ｉ−２）アプリデータエリア（アプリオリジナルデータエリア）ＡＤＡを備えて構成されている。他方、Ｌ１層のアプリリザーブエリアＡＲＡは、外周側から内周側に向かって（ｉｉ−１）バッファーゾーンＢＵＦ、（ｉｉ−２）アプリ更新エリアＡＵＡを備えて構成されている。
【０１６４】
この結果、他の実施例においては、Ｌ１層のアプリ更新エリアＡＵＡにおいて、記録情報の書き換え記録や追記録を行う場合に、Ｌ０層のアプリリザーブエリアＡＲＡの大半を占める、エンボスピットによって形成され、光透過率が記録済み状態の記録領域に近づけられたアプリデータエリアＡＤＡを透過したレーザ光によって、当該Ｌ１層のアプリ更新エリアＡＵＡに記録情報の記録を行うことが可能となる。更に、Ｌ０層のアプリ更新エリアＡＵＡから使用すれば、２層型の光ディスクにおける記録要件、即ち、記録済み状態のＬ０層の記録領域を透過したレーザ光によって、Ｌ１層の記録領域に対して記録を行うという要件を満たすことをより簡単且つ簡便に実現することが可能となる。
【０１６５】
（５−２）他の実施例の構成  −  その２  −  
次に、図１２を参照して、本発明の情報記録媒体の他の実施例に係る２層型光ディスクのデータ構造、該光ディスクの記録領域の詳細な構成について説明する。ここに、図１２は、本発明の情報記録媒体の他の実施例に係る２層型の光ディスクの記録領域の詳細な構成を図式的に示した模式図である。尚、他の実施例において、前述した第２実施例と同様の構成には、同様の符号番号を付しそれらの説明は適宜、省略する。
【０１６６】
図１２に示されるように、特に、他の実施例に係る２層型の光ディスクにおいては、具体的には、Ｌ０層のアプリリザーブエリアＡＲＡは、内周側から外周側に向かって（ｉ−１）アプリ更新エリアＡＵＡ、（ｉ−２）アプリデータエリア（アプリオリジナルデータエリア）ＡＤＡを備えて構成されている。他方、Ｌ１層のアプリリザーブエリアＡＲＡは、外周側から内周側に向かって（ｉｉ−１）アプリデータエリア（アプリオリジナルデータエリア）ＡＤＡ、（ｉｉ−２）バッファーゾーンＢＵＦ、（ｉｉ−３）アプリ更新エリアＡＵＡを備えて構成されている。
【０１６７】
この結果、他の実施例においては、Ｌ０層と、Ｌ１層とにおいて、ＬＰＰの存在しない、アプリデータエリア（アプリオリジナルデータエリア）ＡＤＡ、及びミドルエリアにおける、例えば半径位置等の物理的な構成を概ね同じにすることが可能となる。従って、Ｌ０層とＬ１層と同一のスタンパディスクで製造できるので、全体の製造工程を簡略化することが可能となる。加えて、例えばレイヤージャンプレコーディング方式（Layer Jump Recording Mode）に基づいた、記録又は再生において、半径位置の等しいＬ０層のアプリ更新エリアＡＵＡと、Ｌ１層のアプリ更新エリアＡＵＡとにおける記録又は再生をより的確且つ迅速に行うことが可能となる。
【０１６８】
（５−３）他の実施例の構成  −  その３  −  
次に、図１３を参照して、本発明の情報記録媒体の他の実施例に係る２層型光ディスクのデータ構造、該光ディスクの記録領域の詳細な構成について説明する。ここに、図１３は、本発明の情報記録媒体の他の実施例に係る２層型の光ディスクの記録領域の詳細な構成を図式的に示した模式図である。尚、他の実施例において、前述した第２実施例と同様の構成には、同様の符号番号を付しそれらの説明は適宜、省略する。
【０１６９】
図１３に示されるように、特に、他の実施例に係る２層型の光ディスクにおいては、具体的には、Ｌ０層のアプリリザーブエリアＡＲＡは、内周側から外周側に向かって（ｉ−１）アプリデータエリア（アプリオリジナルデータエリア）ＡＤＡを備えて構成されている。他方、Ｌ１層のアプリリザーブエリアＡＲＡは、外周側から内周側に向かって（ｉｉ−１）バッファーゾーンＢＵＦ、（ｉｉ−２）アプリ更新エリアＡＵＡを備えて構成されている。
【０１７０】
この結果、他の実施例においては、Ｌ１層にのみ存在するアプリ更新エリアＡＵＡにおいて、記録情報の書き換え記録や追記録を行う場合に、Ｌ０層のアプリリザーブエリアＡＲＡの全体を占める、エンボスピットによって形成され、光透過率が記録済み状態の記録領域に近づけられたアプリデータエリアＡＤＡを透過したレーザ光によって、当該Ｌ１層のアプリ更新エリアＡＵＡに記録情報の記録を行うことが可能となる。従って、２層型の光ディスクにおける記録要件、即ち、記録済み状態のＬ０層の記録領域を透過したレーザ光によって、Ｌ１層の記録領域に対して記録を行うという要件を必ず満たすことが可能となる。
【０１７１】
上述した実施例では、情報記録媒体の一具体例として、例えばブルーレイ、赤色ＬＤ光、又は赤外光等のレーザ光によって記録又は再生が可能な、単層型、又は２層型の光ディスクについて説明した。加えて、本発明は、例えば、３層以上の記録層を備える多層型（マルチプルレイヤ型）の光ディスクにも適用可能である。更に、他の高密度記録或いは高転送レート対応の各種の情報記録媒体にも適用可能である。
【０１７２】
また、上述した実施例では、情報記録装置、及び情報再生装置の一具体例として、例えば単層型、又は２層型の光ディスクに対応した情報記録再生装置について説明した。加えて、本発明は、例えば、３層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。
【０１７３】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報記録装置及び方法、情報再生装置及び方法、並びに、コンピュータプログラムもまた本発明の技術的範囲に含まれるものである。
【図面の簡単な説明】
【０１７４】
【図１】本発明の情報記録媒体の実施例に係る複数の記録領域を有する光ディスクの基本構造を示した概略平面図、及び、該概略平面図に対応付けられた、その半径方向における記録領域構造の図式的概念図である。
【図２】本発明の情報記録媒体の実施例に係る光ディスクの記録領域と、当該記録領域の位置を特定可能なアドレスとの関係を示した概念的グラフである。
【図３】本発明の情報記録媒体の実施例に係る単層型の光ディスクの記録領域の詳細な構成を図式的に示した模式図である。
【図４】本発明の管理情報の一具体例を示したテーブル（図４（ａ））、本発明の管理情報のデータ構造の一具体例を示したテーブル（図４（ｂ））、及び本発明の管理情報の他の具体例を示したテーブル（図４（ｃ））である。
【図５】本発明の情報記録装置の実施例に係る情報記録再生装置、及び、ホストコンピュータの基本構成を示したブロック図である。
【図６】本発明の情報記録装置の実施例に係る情報記録再生装置による（ｉ）アプリケーションプログラムの実行処理、（ｉｉ）アプリケーションプログラムの更新処理、（ｉｉｉ）記録処理、及び（ｉｖ）再生処理を含む全体処理を示したフローチャートである。
【図７】比較例に係る光ディスクの記録領域における、複数の再生専用エリアと、複数のデータエリアとの配置関係を図式的に示した模式図（図７（ａ）、図７（ｂ）及び図７（ｃ））である。
【図８】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。
【図９】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。
【図１０】本発明の情報記録媒体の第２実施例に係る２層型の光ディスクの記録領域の詳細な構成を図式的に示した模式図である。
【図１１】本発明の情報記録媒体の他の実施例に係る２層型の光ディスクの記録領域の詳細な構成を図式的に示した模式図である。
【図１２】本発明の情報記録媒体の他の実施例に係る２層型の光ディスクの記録領域の詳細な構成を図式的に示した模式図である。
【図１３】本発明の情報記録媒体の他の実施例に係る２層型の光ディスクの記録領域の詳細な構成を図式的に示した模式図である。
【符号の説明】
【０１７５】
１…センターホール、５０…トラック、５１…ＥＣＣブロック、１００…光ディスク、１０１…リードインエリア、１０２…データエリア、１０３…リードアウトエリア、１０４…ミドルエリア、３００…情報記録再生装置、３０１…光ピックアップ、３０２…信号記録再生手段、３０３…アドレス検出部、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＣＤＺ…コントロールデータゾーン、ＲＭＡ…レコーディングマネージメントエリア、ＡＤＡ…アプリデータエリア（アプリオリジナルデータエリア）、ＡＵＡ…アプリ更新エリア、ＢＵＦ…バッファーゾーン、ＬＢ…レーザ光
【図１】
2007115339.tif 000003
【図２】
2007115339.tif 000004
【図３】
2007115339.tif 000005
【図４】
2007115339.tif 000006
【図５】
2007115339.tif 000007
【図６】
2007115339.tif 000008
【図７】
2007115339.tif 000009
【図８】
2007115339.tif 000010
【図９】
2007115339.tif 000011
【図１０】
2007115339.tif 000012
【図１１】
2007115339.tif 000013
【図１２】
2007115339.tif 000014
【図１３】
2007115339.tif 000015